(57)【要約】【課題】光学素子及びその他の光学要素を所望の位置あるいは向きに高精度に位置決めして組み付けることができる光学装置を提供する。【解決手段】実装面４３，５３を介して光学素子４０，５０を実装したフレキシブル配線板６０、フレキシブル配線板に実装された光学素子の前面４１，５１の外周領域及び／又は外側面の少なくとも一部を受け入れて位置決めしかつ前面の少なくとも中央領域４１ａ，５１ａを露出させる凹状嵌合部２１，２２を有する本体保持枠２０、少なくとも光学素子が実装された領域におけるフレキシブル配線板を覆うように本体保持枠の後方側から離脱可能に結合されるカバー保持枠３０、光学素子を本体保持枠の凹状嵌合部に向けて押圧する付勢力を及ぼす付勢部材３３を含む。これによれば、光学素子及びその他の光学要素を所望の位置あるいは向きに高精度に位置決めして組み付けることができる。【選択図】図３
2014059373.tif 000002
【特許請求の範囲】
【請求項１】
前面，外側面，及び後側に実装面を有する光学素子を備えた光学装置であって、
前記実装面を介して前記光学素子を実装したフレキシブル配線板と、
前記フレキシブル配線板に実装された光学素子の前面の外周領域及び／又は外側面の少なくとも一部を受け入れて位置決めしかつ前記前面の少なくとも中央領域を露出させる凹状嵌合部を有する本体保持枠と、
少なくとも前記光学素子が実装された領域における前記フレキシブル配線板を覆うように前記本体保持枠の後方側から離脱可能に結合されるカバー保持枠と、
前記光学素子を前記本体保持枠の凹状嵌合部に向けて押圧する付勢力を及ぼす付勢部材と、を含む、
ことを特徴とする光学装置。
【請求項２】
前記付勢部材は、前記カバー保持枠に一体的に形成されて前記フレキシブル配線板に対して弾性変形しつつ当接する弾性変形部である、
ことを特徴とする請求項１に記載の光学装置。
【請求項３】
前記カバー保持枠の後方には、少なくとも前記弾性変形部が形成された領域を覆うように遮光シール部材が配置されている、
ことを特徴とする請求項２に記載の光学装置。
【請求項４】
前記本体保持枠は、前記凹状嵌合部の前方側において、光の通過範囲を規定する開口部を有する、
ことを特徴とする請求項１ないし３いずれか一つに記載の光学装置。
【請求項５】
前記本体保持枠は、レンズ光軸に対して垂直な面を有するメイン基板に対して、前記光学素子の素子光軸をレンズ光軸に対して所定角度傾くように取り付けるための取付け部を有する、
ことを特徴とする請求項１ないし４いずれか一つに記載の光学装置。
【発明の詳細な説明】
【技術分野】
【０００１】
本発明は、発光素子や受光素子等の光学素子を保持枠に取り付けた光学装置に関し、特に、カメラ等の測光用に搭載されると共にレンズの光軸に対して所定向きに方向付けして組み付けられる光学装置に関する。
【背景技術】
【０００２】
従来の光学装置としては、略箱形の保持枠、保持枠の内部空間に順次に配置された、測光レンズ、絞り部材、視感度補正フィルター、受光素子を実装し保持枠の後方側から視感度補正フィルターに受光素子を対向させるように配置される基板、基板の背後に当て付けられる親板、保持枠を収容して組み付ける収容枠、収容枠の内壁と親板の間に配置されて親板を基板に向けて付勢する押さえバネ等を備え、全体の組付けを簡素で容易にした測光装置が知られている（例えば、特許文献１を参照）。
しかしながら、この測光装置においては、受光素子を基板に実装し、基板を保持枠に固定することで、受光素子と他の部品（測光レンズ、絞り部材、視感度フィルター）を位置決めする（中心位置及び直角度を合わせる）ものであるため、受光素子の基板への実装のバラツキにより、基板に対して受光素子の傾き等が発生し、他の部品を通過してきた光の受光角度がずれる虞がある。
【０００３】
また、他の光学装置としては、メイン基板に実装された受光素子、略箱形の受光素子カバーを備え、受光素子カバーが、外光の一部を受光面に入射させる導光開口、受光素子を収容する収納室、メイン基板のガイド溝に嵌め込まれる２つの嵌合爪を有するように形成されて、受光素子カバーを、メイン基板に近づけてその収納室の上面壁を受光素子の上面に当接させつつ嵌め込むことにより、導光開口を受光素子の前方に位置決めするように構成された測光装置が知られている（例えば、特許文献２参照）。
しかしながら、この測光装置においては、受光素子を実装したメイン基板に対して受光素子カバーを嵌め込み、受光素子に対して導光開口を位置決めするものであるため、受光素子のメイン基板への実装のバラツキにより、メイン基板に対して受光素子の傾き等が発生し、その結果、メイン基板を基準として組み付けられる受光素子カバーの導光開口は、受光素子の前方からずれて組み付けられる虞がある。
【先行技術文献】
【特許文献】
【０００４】
【特許文献１】特開２００２−２８７２００号公報
【特許文献２】特開２００２−１４４０１号公報
【発明の概要】
【発明が解決しようとする課題】
【０００５】
本発明は、上記の事情に鑑みて成されたものであり、その目的とするところは、構造の簡素化、組付け作業の容易化等を図りつつ、光学素子及びその他の光学要素を所望の位置あるいは向きに高精度に位置決めして組み付けることができる光学装置を提供することにある。
【課題を解決するための手段】
【０００６】
本発明の光学装置は、前面，外側面，及び後側に実装面を有する光学素子を備えた光学装置であって、上記実装面を介して光学素子を実装したフレキシブル配線板と、上記フレキシブル配線板に実装された光学素子の前面の外周領域及び／又は外側面の少なくとも一部を受け入れて位置決めしかつ前面の少なくとも中央領域を露出させる凹状嵌合部を有する本体保持枠と、少なくとも光学素子が実装された領域におけるフレキシブル配線板を覆うように本体保持枠の後方側から離脱可能に結合されるカバー保持枠と、光学素子を本体保持枠の凹状嵌合部に向けて押圧する付勢力を及ぼす付勢部材を含む、ことを特徴としている。
この構成によれば、フレキシブル配線板に（実装面側が）直接実装された光学素子は、その前面の外周領域及び／又は外側面の少なくとも一部が本体保持枠の凹状嵌合部に嵌め込まれて位置決めされると共に固定され、又、光学素子が本体保持枠の凹状嵌合部に向けて付勢部材により付勢されつつ、フレキシブル配線板の後方側からカバー保持枠が結合される。
このように、光学素子は、フレキシブル配線板を基準としてではなく、本体保持枠を基準として位置決めされつつ固定保持されるため、この基準とされる本体保持枠をさらに他の部材（例えば、カメラ内に配置されるメイン基板）に固定することで、カメラのレンズ光軸（撮影光軸）に対して光学素子の素子光軸（例えば、光学素子が受光素子の場合、受光される光線の光軸、光学素子が発光素子の場合、発光される光線の光軸）を所定の向きに高精度に位置決めすることができる。また、本体保持枠に形成された又は組み付けられた他の光学要素に対して光学素子を高精度に位置決めすることができる。
【０００７】
上記構成において、付勢部材は、カバー保持枠に一体的に形成されてフレキシブル配線板に対して弾性変形しつつ当接する弾性変形部である、構成を採用することができる。
この構成によれば、付勢部材として、カバー保持枠に一体的に形成された（例えば、樹脂材料を用いて型成形された）弾性変形部を採用するため、構造を簡素化して、部品点数を削減することができ、又、組み付け工数を削減することができる。
【０００８】
上記構成において、カバー保持枠の後方には、少なくとも弾性変形部が形成された領域を覆うように遮光シール部材が配置されている、構成を採用することができる。
この構成によれば、弾性変形部をカバー保持枠に一体的に形成する場合、弾性変形部を画定させるために一部の連結領域を除いて周りに切り抜き部（貫通部分）が形成されるが、この領域を遮光シール部材で覆うことにより、外部から光が侵入して光学素子に影響を及ぼすのを防止することができる。
【０００９】
上記構成において、本体保持枠は、凹状嵌合部の前方側において、光の通過範囲を規定する開口部を有する、構成を採用することができる。
この構成によれば、本体保持枠が開口部を有するため、例えば光学素子が受光素子の場合に、前方から進入してきた光の受光範囲を開口部により制限することができる。
【００１０】
上記構成において、本体保持枠は、レンズ光軸に対して垂直な面を有するメイン基板に対して、光学素子の素子光軸をレンズ光軸に対して所定角度傾くように取り付けるための取付け部を有する、構成を採用することができる。
この構成によれば、例えば、カメラ内においてレンズ光軸に対して垂直に配置されるメイン基板に対して光学装置を組み付ける場合において、取付け部を介してメイン基板に本体保持枠を組み付けることにより、レンズ光軸に対して光学素子の素子光軸を所定角度傾けて（例えば、光学素子の素子光軸が被写体の下方領域に向かうように斜め下向きに）容易に位置決めすることができる。
【発明の効果】
【００１１】
上記構成をなす光学装置によれば、構造の簡素化、組付け作業の容易化等を達成しつつ、光学素子及びその他の光学要素を所望の位置あるいは向きに高精度に位置決めして組み付けることができる光学装置を得ることができる。
【図面の簡単な説明】
【００１２】
【図１】本発明に係る光学装置が搭載されるカメラの分解斜視図である。
【図２】図１に示すカメラ内に配置されるメイン基板と光学装置との関係を示す分解斜視図である。
【図３】図１に示すカメラ内に配置されるメイン基板に対して光学装置が取り付けられた状態を示す断面図である。
【図４】本発明に係る光学装置の一実施形態を示す分解斜視図である。
【図５】図４に示す光学装置の一部をなす本体保持枠を示す背面図である。
【図６】図４に示す光学装置の一部をなす本体保持枠を示す正面図である。
【図７】図４に示す光学装置の一部をなす本体保持枠を示すものであり、図６中のＥ１−Ｅ１における断面図である。
【図８】本発明に係る光学装置の一部をなす光学素子（第１受光素子）を示すものであり、（ａ）は上面図であり、（ｂ）は正面（前面）図である。
【図９】本発明に係る光学装置の一部をなす光学素子（第２受光素子）を示すものであり、（ａ）は上面図であり、（ｂ）は正面（前面）図である。
【図１０】本発明に係る光学装置の一部をなすフレキシブル配線板及び実装された光学素子（第１受光素子及び第２受光素子）を示す正面図である。
【図１１】本発明に係る光学装置の一部をなす口径板を示すものであり、（ａ）は正面（前面）図であり、（ｂ）は（ａ）中のＥ２−Ｅ２における断面図である。
【発明を実施するための形態】
【００１３】
以下、本発明の実施形態について、添付図面を参照しつつ説明する。
この実施形態に係る光学装置は、インスタント写真用のフィルムユニットが装填されるカメラＣの測光装置ＯＵとして適用されるものである。
ここで、カメラＣは、図１に示すように、カメラ本体１０、撮影時にカメラ本体１０からレンズ光軸Ｌ方向において繰り出した状態に位置するレンズ鏡筒ＬＵを保持するユニットベースＵＢ、ユニットベースＵＢに固定されるメイン基板ＭＢ、ユニットベースＵＢに組み付けられるファインダユニットＦＵ及びレリーズボタンＲＢ、メイン基板ＭＢに組み付けられる光学装置ＯＵ、メイン基板ＭＢに組み付けられるフラッシュＦ等を備えている。
【００１４】
カメラ本体１０は、図１に示すように、レンズ鏡筒ＬＵの繰り出しを許容する前側カバー１１、前側カバー１１に着脱自在に結合される後側カバー１２、後側カバー１２に着脱自在に結合されるバッテリカバー１３により構成されている。
前側カバー１１は、ファインダ窓１１ａ、レリーズボタンＲＢ用の開口１１ｂ、フラッシュ窓１１ｃ、光学装置ＯＵに向けて光を通す受光窓１１ｄ，１１ｅ等を備えており、後側カバー１２は、フィルムユニットを排出する排出口１２ａ等を備えている。
受光窓１１ｄは、光学装置ＯＵの光学素子（第１受光素子４０）に向けて光を導くものである。
受光窓１１ｅは、光学装置ＯＵの光学素子（第２受光素子５０）に向けて光を導くものである。
【００１５】
メイン基板ＭＢは、図１及び図２に示すように、カメラ（のレンズ鏡筒ＬＵ）のレンズ光軸Ｌに対して垂直な面Ｓｖを有する略矩形形状の平板として形成されており、その略中央領域において、光学装置ＯＵ（の本体保持枠２０）を取り付けるための略矩形の取付け孔Ｈ、その他種々の部品を取り付けるための取付け孔等を備えている。
【００１６】
光学装置ＯＵは、図３及び図４に示すように、本体保持枠２０、本体保持枠２０に対して着脱自在に結合されるカバー保持枠３０、光学素子としての第１受光素子４０及び第２受光素子５０、第１受光素子４０及び第２受光素子５０が直接実装されたフレキシブル配線板６０、所定の口径をなす開口部７１を画定する口径板７０、フィルター部材８０、透明カバー部材９０、カバー保持枠３０の後面側に設けられた遮光フィルム部材１００等を備えている。
【００１７】
本体保持枠２０は、図３ないし図７に示すように、その背面側（後側）において、第１受光素子４０を嵌め込む（受け入れて位置決めする）と共に少なくとも中央領域（受光部４１ａ）を露出させる凹状嵌合部２１、第２受光素子５０を嵌め込む（受け入れて位置決めする）と共に少なくとも中央領域（受光部５１ａ）を露出させる凹状嵌合部２２、カバー保持枠３０を結合するための（一部がその外周領域に形成された）カバー結合部２３を備え、その前面側において、凹状嵌合部２１に連通する開口部２４及び取付け段差部２５、凹状嵌合部２２に連通する開口部２６及び取付け段差部２７、その外周領域において、メイン基板ＭＢへ取り付けるための取付け部２８等を備えている。
【００１８】
凹状嵌合部２１は、図３及び図５に示すように、図８に示された第１受光素子４０（の前面４１の中央領域に位置する受光部４１ａ）を嵌め込むと共に受光部４１ａを露出させる嵌合孔２１ａ、第１受光素子４０の前面４１の外周領域を当接させる受け面２１ｂ、第１受光素子４０の外側面４２の一部を当接させ位置決めする位置決め部２１ｃ等により構成されている。
嵌合孔２１ａは、その中心線ＣＬ１と同軸上に第１受光素子４０の素子光軸Ｌ１を位置付けるように形成されている。
受け面２１ｂは、第１受光素子４０の前面４１の外周領域を素子光軸Ｌ１方向の後方側から当接させて素子光軸Ｌ１方向における位置決めを行うように形成されている。
位置決め部２１ｃは、第１受光素子４０の外側面４２の一部（凹状や平面状の外側面）を嵌め込んで保持すると共に素子光軸Ｌ１回りの角度位置を位置決めするように形成されている。
【００１９】
凹状嵌合部２２は、図３及び図５に示すように、図９に示された第２受光素子５０の前面５１の中央領域の一部（受光部５１ａ）を露出させる貫通孔２２ａ、第２受光素子５０の前面５１の外周領域を当接させる受け面２２ｂ、第２受光素子５０の外側面５２の一部を嵌め込んで保持すると共に素子光軸Ｌ２回りの角度位置を位置決めする位置決め保持部２２ｃ等により構成されている。
貫通孔２２ａは、その中心線ＣＬ２と同軸上に第２受光素子５０の素子光軸Ｌ２が位置付けられるように形成されている。
受け面２２ｂは、第２受光素子５０の前面５１の外周領域を素子光軸Ｌ２方向の後方側から当接させて素子光軸Ｌ２方向における位置決めを行うように形成されている。
位置決め保持部２２ｃは、第２受光素子５０の外側面５２の一部（平面部分）を嵌め込んで保持すると共に素子光軸Ｌ２回りの角度位置を位置決めするように形成されている。
【００２０】
カバー結合部２３は、図３及び図５に示すように、本体保持枠２０の後方側から離脱可能に本体保持枠２０に結合されるものであり、カバー保持枠３０の嵌合溝３１に嵌め込まれる嵌合リブ２３ａ、カバー保持枠３０の位置決めピン３２を嵌め込む位置決め穴２３ｂ、カバー保持枠３０の掛止片３５を掛止する掛止爪２３ｃ等により構成されている。
開口部２４は、図３に示すように、嵌合孔２１ａの中心線ＣＬ１方向の前方側に向けて末広がる円錐状に形成されている。
【００２１】
取付け段差部２５は、図３及び図７に示すように、中心線ＣＬ１方向に垂直な環状平面部２５ａ、環状平面部２５ａの外周を画定する円筒状の内側面２５ｂ、内側面２５ｂにおいて一部が平坦に形成された回転止め部２５ｂ´、環状平面部２５ａよりも前方側においてより大きい径をなすと共に中心線ＣＬ１方向に垂直な環状平面部２５ｃ、環状平面部２５ｃの外周を画定する円筒状の内側面２５ｄ、内側面２５ｄの一部を肉抜きして形成された接着剤溜め部２５ｄ´等により構成されている。
環状平面部２５ａは、口径板７０を嵌め込んで、中心線ＣＬ１方向における位置決めを行うように形成されている。
内側面２５ｂは、口径板７０を嵌め込んで、中心線ＣＬ１に垂直な方向における位置決めを行うように形成されている。
回転止め部２５ｂ´は、口径板７０を嵌め込んだ状態で、口径板６０の中心線ＣＬ１回りの回転を規制して、矩形状の開口部７１の角度位置を位置決めするように形成されている。
環状平面部２５ｃは、フィルター部材８０を嵌め込んで、中心線ＣＬ１方向における位置決めを行うように形成されている。
内側面２５ｄは、フィルター部材８０を嵌め込んで、中心線ＣＬ１に垂直な方向における位置決めを行うように形成されている。
接着剤溜め部２５ｄ´は、フィルター部材８０が嵌め込まれた後に、その抜け落ちを防止するべく接着剤を注入し得るように形成されている。
【００２２】
開口部２６は、図６及び図７に示すように、貫通孔２２ａの中心線ＣＬ２方向の前方側に向けて末広がる略矩形の角錐状に形成されており、第２受光素子５０に受光される光の通過範囲を規定するように形成されている。
このように、本体保持枠２０の凹状嵌合部２２の前方側において、光の通過範囲を規定する開口部２６を有するため、第２受光素子５０の前方から進入してきた光の受光範囲を開口部２６により制限することができる。
取付け段差部２７は、図３及び図７に示すように、中心線ＣＬ２方向に垂直な環状平面部２７ａ、環状平面部２７ａの外周を画定する円筒状の内側面２７ｂ、内側面２７ｂの一部を肉抜きして形成された接着剤溜め部２７ｂ´等により構成されている。
環状平面部２７ａは、透明カバー部材９０を嵌め込んで、中心線ＣＬ２方向における位置決めを行うようになっている。
内側面２７ｂは、透明カバー部材９０を嵌め込んで、中心線ＣＬ２に垂直な方向における位置決めを行うように形成されている。
接着剤溜め部２７ｂ´は、透明カバー部材９０が嵌め込まれた後に、その抜け落ちを防止するべく接着剤を注入し得るように形成されている。
【００２３】
取付け部２８は、図３ないし図７に示すように、メイン基板ＭＢの垂直な面Ｓｖに当接させる当接面２８ａ、メイン基板ＭＢの取付け孔Ｈの内壁面に当接させて位置決めする複数の位置決め突起２８ｂ、当接面２８ａと協働してメイン基板ＭＢを挟み込むように形成されたフック部２８ｃ等により構成されている。
このように、本体保持枠２０は、レンズ光軸Ｌに対して垂直な面Ｓｖを有するメイン基板ＭＢに対して、光学素子（第１受光素子４０及び第２受光素子５０）の素子光軸Ｌ１，Ｌ２をレンズ光軸Ｌに対して所定角度傾くように取り付けるための取付け部２８（当接面２８ａ及びフック部２８ｃ）を有するため、取付け部２８を介してメイン基板ＭＢに本体保持枠２０を組み付けることにより、レンズ光軸Ｌに対して第１受光素子４０及び第２受光素子５０の素子光軸Ｌ１，Ｌ２を所定角度傾けて、例えば、素子光軸Ｌ１，Ｌ２が被写体の下方領域に向かうように斜め下向きに、容易に位置決めすることができる。
【００２４】
カバー保持枠３０は、図４に示すように、本体保持枠２０の嵌合リブ２３ａを嵌め込む嵌合溝３１、本体保持枠２０の位置決め穴２３ｂに嵌合される位置決めピン３２、片持ち梁状に一体的に形成された２つの弾性変形部３３、弾性変形部３３を画定する切り抜き部３４、本体保持枠２０の掛止爪２３ｃに掛止される掛止片３５等を備えている。
弾性変形部３３は、カバー保持枠３０が本体保持枠２０に結合された状態で、第１受光素子４０及び第２受光素子５０を実装したフレキシブル配線板６０を後方側から押圧し、第１受光素子４０を凹状嵌合部２１に向けて付勢すると共に第２受光素子５０を凹状嵌合部２２に向けて付勢する付勢力を及ぼすべく、片持ち梁状に弾性変形させられるように形成されている。
このように、付勢部材として、カバー保持枠３０に一体的に形成された弾性変形部３３を採用するため、構造を簡素化して、部品点数を削減することができ、又、組み付け工数を削減することができる。
【００２５】
第１受光素子４０は、ストロボ光を受光するストロボセンサーであり、図８（ａ），（ｂ）に示すように、素子光軸Ｌ１を中心とする半球状の受光部４１ａを有する前面４１、外側面４２、素子光軸Ｌ１の後方側に位置する実装面４３等を備えている。
半球部４１ａは、本体保持枠２０の嵌合孔２１ａに嵌め込まれて前方側に露出するようになっている。
前面４１は、少なくともその受光部２１ａを除いた外周領域が、本体保持枠２０の受け面２１ｂに当接されるようになっている。
外側面４２は、少なくともその一部が本体保持枠２０の位置決め部２１ｃに嵌め込まれるようになっている。
実装面４３は、フレキシブル配線板６０に対して直接実装されるようになっている。
【００２６】
第２受光素子５０は、被写体光を受光するＡＥセンサーであり、図９（ａ），（ｂ）に示すように、素子光軸Ｌ２を中心とする平面状の受光部５１ａを有する前面５１、外側面５２、素子光軸Ｌ２の後方側に位置する実装面５３等を備えている。
受光部５１ａは、本体保持枠２０の貫通孔２２ａを通して前方側に露出するようになっている。
前面５１は、少なくともその受光部５１ａを除いた外周領域が、本体保持枠２０の受け面２２ｂに当接されるようになっている。
外側面５２は、少なくともその一部が本体保持枠２０の位置決め保持部２２ｃに嵌め込まれて素子光軸Ｌ２回りの角度位置が位置決めされるようになっている。
実装面５３は、フレキシブル配線板６０に対して直接実装されるようになっている。
【００２７】
フレキシブル配線板６０は、図４及び図１０に示すように、第１受光素子４０を実装する実装部６１、第２受光素子５０を実装する実装部６２、実装部６１及び実装部６２を一緒にして光学装置ＯＵの外部に引き出すための引出部６３等を備えている。
そして、フレキシブル配線板６０は、第１受光素子４０及び第２受光素子５０が実装された状態で、第１受光素子４０が凹状嵌合部２１に嵌め込まれかつ第２受光素子５０が凹状嵌合部２２に嵌め込まれることにより、本体保持枠２０の背面側に配置され、又、その後方側からカバー保持枠３０が結合されることにより、本体保持枠２０とカバー保持枠３０との間に少なくとも実装部６１，６２が収容されるようになっている。
【００２８】
口径板７０は、第１受光素子４０に対する光の通過範囲を規定するものであり、図１１（ａ），（ｂ）に示すように、略円形の平板状に形成されており、中心線Ｌ３を画定する矩形状の開口部７１、中心線Ｌ３を中心とする円弧状の外側面７２、外側面７２の一部に形成された直線部７３等を備えている。
そして、口径板７０は、本体保持枠２０の取付け段差部２５に収容されて固定されるべく、環状平面部２５ａに当接されて素子光軸Ｌ１（中心線ＣＬ１）の方向において位置決めされ、又、内側面２５ｂに嵌め込まれて素子光軸Ｌ１（中心線ＣＬ１）に垂直な方向において位置決めされる（中心線Ｌ３が素子光軸Ｌ１と同軸上に位置付けられる）と共に、回転止め部２５ｂに直線部７３が接触して開口部７１の素子光軸Ｌ１回りにおける角度位置が位置決めされるようになっている。
このように、本体保持枠２０には、第１受光素子４０の前方側において、開口部７１を画定する口径板７０が着脱自在に配置されているため、本体保持枠２０を基準として、第１受光素子４０と口径板７０との位置決めを高精度に行うことができると共に、開口部７１の口径が異なる口径板７０に適宜変更することにより、所望の受光範囲を設定することができる。
【００２９】
フィルター部材８０は、第１受光素子４０に対して可視光線をカットするものであり、図３及び図４に示すように、円板状に形成されている。
そして、フィルター部材８０は、本体保持枠２０の取付け段差部２５に収容されて固定されるべく、環状平面部２５ｃに当接されて素子光軸Ｌ１（中心線ＣＬ１）の方向において位置決めされ、又、内側面２５ｄに嵌め込まれて素子光軸Ｌ１（中心線ＣＬ１）に垂直な方向において位置決めされ、その後、接着剤溜め部２５ｄ´に接着剤が注入されることにより、その脱落が防止されるようになっている。
このように、本体保持枠２０には、第１受光素子４０の前方側において、フィルター部材８０が着脱自在に配置されているため、本体保持枠２０を基準として、第１受光素子４０とフィルター部材８０との位置決めを高精度に行うことができ、又、通過する光をフィルター部材８０に通すことで、所望の特性にすることができる。
【００３０】
透明カバー部材９０は、第２受光素子５０に対するゴミ等の侵入及び付着を防止するものであり、図３及び図４に示すように、円板状に形成されている。
そして、透明カバー部材９０は、本体保持枠２０の取付け段差部２７に収容されて固定されるべく、環状平面部２７ａに当接されて素子光軸Ｌ２（中心線ＣＬ２）の方向において位置決めされ、又、内側面２７ｂに嵌め込まれて素子光軸Ｌ２（中心線ＣＬ２）に垂直な方向において位置決めされ、その後、接着剤溜め部２７ｂ´に接着剤が注入されることにより、その脱落が防止されるようになっている。
【００３１】
遮光シール部材１００は、図３及び図４に示すように、カバー保持枠３０の背面側に貼付されて、少なくとも切り抜き部３４を覆うように形成されている。
このように、カバー保持枠３０の後方において少なくとも弾性変形部３３が形成された領域を覆うように遮光シール部材１００が配置されているため、外部から光が侵入して光学素子（第１受光素子４０及び第２受光素子５０）に影響を及ぼすのを防止することができる。
【００３２】
次に、上記光学装置ＯＵの組み付けについて説明する。
先ず、本体保持枠２０、カバー保持枠３０、第１受光素子４０及び第２受光素子５０を実装したフレキシブル配線板６０、口径板７０、フィルター部材８０、透明カバー部材９０、遮光シール部材１００を準備する。
【００３３】
そして、本体保持枠２０の背面（後面）側において、第１受光素子４０を凹状嵌合部２１に嵌め込みかつ第２受光素子５０を凹状嵌合部２２に嵌め込む。
続いて、フレキシブル配線板６０を後方側から挟み込むようにして、カバー保持枠３０を本体保持枠２０に結合する。これにより、その弾性変形部３３が弾性変形しつつ、フレキシブル配線板６０の実装部６１，６２の領域を後方側から押圧し、さらに、第１受光素子４０及び第２受光素子５０を本体保持枠２０の凹状嵌合部２１，２２に向けて押圧する状態になる。これにより、第１受光素子４０は凹状嵌合部２１に対して堅固に保持されて位置決めされ、又、第２受光素子５０は凹状嵌合部２２に対して堅固に保持されて位置決めされることになる。
また、カバー保持枠３０の背面側において、遮光シール部材１００が貼付される。尚、遮光シール部材１００は、予めカバー保持枠３０に貼付されていてもよい。
【００３４】
一方、本体保持枠２０の前面側において、口径板７０及びフィルター部材８０が取付け段差部２５に取り付けられ、透明カバー部材９０が取付け段差部２７に取り付けられる。
すなわち、口径板７０が、環状平面部２５ａに当接されつつ内側面２５ｂに嵌め込まれ、その外側から、口径板７０を押し付けるようにして、フィルター部材８０が、環状平面部２５ｃに当接されつつ内側面２５ｄに嵌め込まれ、その後、接着剤溜め部２５ｄ´に接着剤が注入される。
また、透明カバー部材９０が、環状平面部２７ａに当接されつつ内側面２７ｂに嵌め込まれ、その後、接着剤溜め部２７ｂ´に接着剤が注入される。
【００３５】
以上により、本体保持枠２０に対する、第１受光素子４０、第２受光素子５０、フレキシブル配線板６０、カバー保持枠３０、遮光シール部材１００、口径板７０、フィルター部材８０、及び透明カバー部材９０の組み付けが完了する。
このように、フレキシブル配線板６０に（実装面４３，５３側が）直接実装された光学素子（第１受光素子４０及び第２受光素子５０）は、その前面４１，５１の外周領域及び／又は外側面４２，５２の少なくとも一部が本体保持枠２０の凹状嵌合部２１，２２に嵌め込まれて位置決めされると共に固定され、又、光学素子（第１受光素子４０及び第２受光素子５０）が本体保持枠２０の凹状嵌合部２１，２２に向けて（付勢部材としてのカバー保持枠３０の）弾性変形部３３により付勢されつつ、フレキシブル配線板６０の後方側からカバー保持枠３０が結合される。
すなわち、光学素子（第１受光素子４０及び第２受光素子５０）は、フレキシブル配線板６０を基準としてではなく、本体保持枠２０を基準として位置決めされつつ固定保持されるため、この基準とされる本体保持枠２０をさらにカメラＣ内に配置されるメイン基板ＭＢに固定することで、カメラＣのレンズ光軸Ｌ（撮影光軸）に対して光学素子（第１受光素子４０及び第２受光素子５０）の素子光軸Ｌ１，Ｌ２を所定の向きに高精度に位置決めすることができ、又、本体保持枠２０に組み付けられる他の光学要素（口径板７０、フィルター部材８０、透明カバー部材９０）と光学素子（第１受光素子４０及び第２受光素子５０）とを高精度に位置決めすることができる。
【００３６】
上記実施形態においては、光学素子として、第１受光素子４０及び第２受光素子５０を採用した場合を示したが、これに限定されるものではなく、一つの受光素子、３つ以上の受光素子、一つ以上の発光素子、その他の光学素子を適用することができる。
上記実施形態においては、光学素子（（第１受光素子４０及び第２受光素子５０）を本体保持枠２０の凹状嵌合部２１，２２に向けて押圧する付勢力を及ぼす付勢部材として、カバー保持枠３０に一体的に形成された弾性変形部３３を採用した場合を示したが、これに限定されるものではなく、弾性変形部を備えないカバー保持枠と、別体として形成された付勢バネ、弾性ゴム等の付勢部材を採用し、フレキシブル配線板とカバー保持枠の間に付勢部材を配置する構成を採用してもよい。
【産業上の利用可能性】
【００３７】
以上述べたように、本発明に係る光学装置は、構造の簡素化、組付け作業の容易化等を達成しつつ、光学素子及びその他の光学要素を所望の位置あるいは向きに高精度に位置決めして組み付けることができるため、インスタントカメラの光学装置に限らず、その他のカメラ、光学機器等に搭載される光学装置としても有用である。
【符号の説明】
【００３８】
Ｃ  カメラ
１０  カメラ本体
１１  前側カバー
１１ａ  ファインダ窓
１１ｂ  開口
１１ｃ  フラッシュ窓
１１ｄ，１１ｅ  受光窓
１２  後側カバー
１２ａ  排出口
１３  バッテリカバー
ＦＵ  ファインダユニット
Ｆ  フラッシュ
ＲＢ  レリーズボタン
ＬＵ  レンズ鏡筒
Ｌ  レンズ光軸
ＵＢ  ユニットベース
ＭＢ  メイン基板
Ｈ  取付け孔
Ｓｖ  レンズ光軸に対して垂直な面
ＯＵ  光学装置
２０  本体保持枠
２１  凹状嵌合部
２１ａ  嵌合孔
ＣＬ１  中心線
２１ｂ  受け面
２１ｃ  位置決め部
２２  凹状嵌合部
２２ａ  貫通孔
ＣＬ２  中心線
２２ｂ  受け面
２２ｃ  位置決め保持部
２３  カバー結合部
２３ａ  嵌合リブ
２３ｂ  位置決め穴
２３ｃ  掛止爪
２４  開口部
２５  取付け段差部
２５ａ  環状平面部
２５ｂ  内側面
２５ｂ´  回転止め部
２５ｃ  環状平面部
２５ｄ  内側面
２５ｄ´  接着剤溜め部
２６  開口部
２７  取付け段差部
２７ａ  環状平面部
２７ｂ  内側面
２７ｂ´  接着剤溜め部
２８  取付け部
２８ａ  当接面
２８ｂ  位置決め突起
２８ｃ  フック部
３０  カバー保持枠
３１  嵌合溝
３２  位置決めピン
３３  弾性変形部（付勢部材）
３４  切り抜き部
３５  掛止片
４０  第１受光素子（光学素子）
４１  前面
４１ａ  受光部
４２  外側面
４３  実装面
５０  第２受光素子（光学素子）
５１  前面
５１ａ  受光部
５２  外側面
５３  実装面
６０  フレキシブル配線板
６１，６２  実装部
６３  引出部
７０  口径板
７１  開口部
７２  外側面
７３  直線部
８０  フィルター部材
９０  透明カバー部材
１００  遮光シール部材
【図１】
2014059373.tif 000003
【図２】
2014059373.tif 000004
【図３】
2014059373.tif 000005
【図４】
2014059373.tif 000006
【図５】
2014059373.tif 000007
【図６】
2014059373.tif 000008
【図７】
2014059373.tif 000009
【図８】
2014059373.tif 000010
【図９】
2014059373.tif 000011
【図１０】
2014059373.tif 000012
【図１１】
2014059373.tif 000013
【手続補正書】
【提出日】平成24年11月9日(2012.11.9)
【手続補正１】
【補正対象書類名】図面
【補正対象項目名】全図
【補正方法】変更
【補正の内容】
【図１】
2014059373.tif 000014
【図２】
2014059373.tif 000015
【図３】
2014059373.tif 000016
【図４】
2014059373.tif 000017
【図５】
2014059373.tif 000018
【図６】
2014059373.tif 000019
【図７】
2014059373.tif 000020
【図８】
2014059373.tif 000021
【図９】
2014059373.tif 000022
【図１０】
2014059373.tif 000023
【図１１】
2014059373.tif 000024